(57)【要約】【課題】脚支柱にガスシリンダを使用した丸型回転椅子において、ガスシリンダの昇降操作をスムースに行えるようにする。【手段】ガスシリンダ３のプッシュバルブ１６は、ガスシリンダ３の上端に位置している。座受けベース７には、プッシュバルブ１６と同心状の受け筒１８を設けており、受け筒１８に第２作動体３８が上下動自在に嵌まっている。単位レバー９の内向き部９ａは第１作動体２９に固定されている。第２作動体３８には上窄まりの山形部３８ａが形成されている一方、第１作動体２９には、山形部３８ａを囲う作動筒３４を設けている。第１作動体２９が水平動すると第２作動体３８は下降動してプッシュバルブ１６が押される。従って、単位レバー９を上下動しても半径方向に水平動させても、いずれにおいてもプッシュバルブ１６を操作できる。【選択図】      図１２
2005013603.tif 000002
【特許請求の範囲】
【請求項１】
脚支柱としてのガスシリンダと、前記ガスシリンダの上端部に固定した座受けベースと、前記座受け枠で支持された座とを備えており、
前記ガスシリンダの上端面からロック解除用のプッシュバルブが突出しており、更に、着座した人が指を掛け得る高さ位置に、人が指を掛けて動かすことのできるレバー装置を、上下動と半径方向の水平動とのいずれの動きによってもプッシュバルブが押し下げられるように設けている、
椅子。
【請求項２】
前記ガスシリンダの上方に、傾動及び水平動が可能な第１作動体と、その下方に位置して上下動のみ可能で且つプッシュバルブに上方から当接した第２作動体とを配置しており、第１作動体と第２作動体とに、第１作動体が傾動しても水平動しても第２作動体を下降動させるガイド手段を設けている一方、
前記レバー装置には第１作動体に向けて延びる内向き端部を備えており、この内向き端部を第１作動体に固定している、
請求項１に記載した椅子。
【発明の詳細な説明】
【０００１】
【発明の属する技術分野】
本発明は、脚支柱としてガスシリンダを使用している椅子に関するものである。
【０００２】
【従来の技術】
座を回転自在に支持する脚支柱としてガスシリンダが使用されている椅子において、例えば座を平面視円形に形成して方向性を無くしたもの（丸型回転椅子）があり、この場合、座板の姿勢に関係なくガスシリンダを操作できるように、昇降用レバーをリングに形成したものがある。
【０００３】
その例として、特許文献１（実公昭５９−５４０１号公報）では、レバーを脚の下部に配置して人が足で操作するようにしており、他方、特許文献２（実公平７−１００３号公報）では、レバーを座板の下面近傍に配置して、人が手で操作するようになっている。
【０００４】
人が座の高さを調節する場合、人は中腰の状態で座への加圧状態を加減しながらレバーの操作を行うが、特許文献１の構成では、人は片足だけで姿態を支えた不安定な状態でレバー操作を行わねばならないため、レバー操作を行いにくく、また、不用意にレバーを踏んでしまうことがある虞がある。
【０００５】
これに対して特許文献２の構成は、人は両足を床に踏ん張って身体を安定させた状態でレバー操作を行えるため操作性が優れており、また、誤ってレバーを踏むような事故が生じない点でも優れていると言える。
【０００６】
【特許文献１】
実公昭５９−５４０１号公報
【特許文献２】
実公平７−１００３号公報
【０００７】
【発明が解決しようとする課題】
ところで、特許文献２において人がレバーを操作する場合、手の平のうち手首寄りの部分を座の外周縁に当てた状態でレバーに指を掛けることがままあり、この場合、人の特許請求の範囲としてレバーに指を掛けると指を曲げる動作を無意識に行うことにより、座の外周縁を支点として指でレバーを半径外側に引くような状態になり、このため、レバーに主として半径外向きの引っ張り力が作用することがある。
【０００８】
しかるに、特許文献２の構成ではレバーは上下動しかしないため、レバーに掛けた指を曲げると、レバーがいわば引っ掛かったような状態になって動かずに、スムースに操作をできなくなって人に不快感を与える虞があった。
【０００９】
本発明は、このような現状を改善することを課題とするものである。
【００１０】
【課題を解決するための手段】
請求項１の発明では、椅子は、脚支柱としてのガスシリンダと、前記ガスシリンダの上端部に固定した座受けベースと、前記座受け枠で支持された座とを備えており、前記ガスシリンダの上端面からロック解除用のプッシュバルブが突出しており、更に、着座した人が指を掛け得る高さ位置に、人が指を掛けて動かすことのできるレバー装置を、上下動と半径方向の水平動とのいずれの動きによってもプッシュバルブが押し下げられるように設けている。
【００１１】
請求項２の発明では、請求項１において、前記ガスシリンダの上方に、傾動及び水平動が可能な第１作動体と、その下方に位置して上下動のみ可能で且つプッシュバルブに上方から当接した第２作動体とを配置しており、第１作動体と第２作動体とに、第１作動体が傾動しても水平動しても第２作動体を下降動させるガイド手段を設けている一方、前記レバー装置には第１作動体に向けて延びる内向き端部を備えており、この内向き端部を第１作動体に固定している。
【００１２】
【発明の作用・効果】
本願発明によると、レバー装置を上方に引いたり下方に押したりすることでプッシュバルブが押し下げられるのみならず、レバーを半径方向に引いたり押したりすることによってもプッシュバルブが押し下げられるため、人の指がどのような動きをしてもこれに追従してプッシュバルブが押し下げられ、このため座の昇降操作をスムースに行うことができる。
【００１３】
【発明の実施形態】
次に、本発明の実施形態を図面に基づいて説明する。
【００１４】
（１）．第１実施形態（図１〜図１４）
図１〜図１４では第１実施形態を示している。まず、図１〜図４に基づいて概要を説明する。
【００１５】
（ａ）．概要
図１に示すように、椅子は、脚１と平面視円形の座２とを備えており、脚１は、脚支柱としてのガスシリンダ３と、これを支持する接地部４とを備えている。接地部４にはキャスター５を取付けている。また、ガスシリンダ３は脚カバー６で覆われている。
【００１６】
ガスシリンダ３の上端には金属板製の座受けベース７が固定されており、この座受けベース７で座２が支持されている。座２はカバー（アウターシェル）８を備えており、ガスシリンダ３のロックを解除するための４個の単位レバー９が、カバー８を囲うように配置されている。単位レバー９の群は全体として環状に延びているので、座２がどのような姿勢であっても、いずれかの単位レバー９に指を掛けることができる。
【００１７】
図２〜図４のように、椅子には、背支持フレーム１０を介して背もたれ１１を取付けることができる。図２は正面図、図３は平面図、図４は右側面図である。本実施形態では、背支持フレーム１０は、座２のカバー８の半周程度を囲う平面視半円状の基部１２と、基部から側面視で斜め後方に向けて延びる立ち上がり部１３とから成っており、立ち上がり部１３に背もたれ１１を取付けている。
【００１８】
既述のとおり４個の単位レバー９が円周方向に配置されているが、各単位レバー９は着脱可能であり、隣合った２個の単位レバー９を取り外して、取り外した２個の単位レバー９の代わりに背支持フレーム１０を取付けることができる（詳細は後述する）。背もたれ１１はクッションを備えているが、クッションなしでも良い。
【００１９】
（ｂ）．構造の詳細
次に、図５以下の図面を参照して構造の詳細を説明する。図５は図６の  Ｖ−Ｖ視方向から見た縦断面図、図６のうち（Ａ）は図５の  ＶＩＡ−ＶＩＡ視平断面図、図７は図６（Ａ）の  ＶＩＩ−ＶＩＩ視方向から見た縦断面図、図８は主要部材の分離正面図、図９はカバーをひっくり返した状態での部分斜視図、図１０は座板の底面図、図１１のうち（Ａ）は主要部材の分離図、（Ｂ）（Ｃ）はそれぞれ（Ａ）のＢ−Ｂ視、Ｃ−Ｃ視平面図、図１２は動きを説明するための図である。
【００２０】
敢えて説明するまでもないが、ガスシリンダ３は、摺動可能に嵌まり合った外筒と内筒とを備えており、例えば図５に示すように、ガスシリンダ３の上部はホルダー１５に嵌着している。ガスシリンダ３の上端面からはロック解除用のプッシュバルブ１６が突出している。プッシュバルブ１６を下方に押すと、ロックが解除されてガスシリンダ３はガス圧によって伸長する。
【００２１】
例えば図５から理解できるように、座受けベース７は平面視円形で上向きに開口した碗状に形成されており、上端にはフランジ７ａを設けている。また、座受けベース７の内部には補助板１７を固着しており、この補助板１７にガスシリンダ用ホルダー１５の上部が固着されている。かつ、補助板１７には、ガスシリンダ３を囲う受け筒１８が固着されている。
【００２２】
座２は、合成樹脂製の座板（インナーシェル）１９と、その上面に張ったクッション２０と、座板１９の下面に配置した金属板製の補強板２１と、補強板２１を下方から覆う中空状のカバー８とで構成されている。
【００２３】
カバー８は、座受けベース７のフランジ７ａに重なって上向きに広がるようにドーナツ状でかつテーパ状に形成されており、座板１９に、平面視で座受けベース７のフランジ７ａに重なる足部１９ａを円周方向に沿って等間隔で４個設け、この足部１９ａとカバー８と座受けベース７とをボルト２２及びナット２３で共締めしている。
【００２４】
補強板２１は、座板１９における足部１９ａの群を囲うようにリング状に形成されている。また、補強板２１は、カバー８に設けたねじ筒２４にタッピンねじ等のねじ２５で固定されている（ねじ止めは必ずしも必要ない）。
【００２５】
更に、座板１９の円周方向に沿って複数の箇所に係合爪２６を形成し、この係合爪２６を補強板２１に設けた係合穴に嵌め入れることにより、補強板２１を座板１９に一体に取付けている。座板１９の下面には放射状に延びる多数の補強リブ２７を設けている。
【００２６】
図５や図７に示すように、カバー８で囲われた空間部内には金属板製の第１作動体２９が配置されている一方、座板１９には、第１作動体２９の上面に当たる平面視円形の支点用リブ３０が形成されている。支点用リブ３０は座板１９と同心に形成されている。図６に示すように、第１作動体２９は平面視略四角形に形成されている。
【００２７】
各単位レバー９は合成樹脂製で略板状に形成されており（金属板製でも良い）、図７から理解できるように、外周部が低くて内周部が高くなるように傾斜している。また、各単位レバー９は、その内周面に指を掛けて上方や水平方向に引けるように平面視で円弧状に延びている。
【００２８】
図６（Ａ）から理解できるように、各単位レバー９の両端には平面視で椅子の軸心に向けて延びる一対の内向き部９ａが一体成形されており、両内向き部９ａの先端部は一体に繋がって内向き端部９ｂになっている。
【００２９】
各単位レバー９の内向き先端部９ｂは平面視で直角の形態を成しており、このため、内向き先端部９ｂの群は全体として１枚板の状態を呈している。そして、各内向き先端部９ｂをビス３２で第１作動体２９に固定している。従って、各単位レバー９は第１作動体２９に取付け・取り外し自在である。
【００３０】
隣合った単位レバー９の内向き部９ａは、半径内側に位置した半分程度の部分は側面同士が互いに重なっており、その外側の部分は半径外側に行くに従って間隔が広がっている。このため、４個の単位レバー９の群で恰かも花びらのような形態が構成されており、このため斬新なデザインとなって美感に優れている。
【００３１】
カバー８には、隣合った２本の内向き部９ａが遊嵌する下向き開口の切り開き溝３１が形成されている。切り開き溝３１は、単位レバー９の内向き部９ａが水平方向にある程度の寸法だけ移動し得る幅寸法であり、かつ、カバー８の上端部近傍まで位置する深さになっている。
【００３２】
第１作動体２９には中心穴３３が空いている一方、各単位レバー９の内向き先端部９ｂの群には、下向きに開口した作動筒３４が重なっており、作動筒３４に設けた上向きの中心突起３５を第１作動体２９の中心穴３３に強制嵌合している。また、作動筒３４には、位置決め手段の一例として、各単位レバー９の内向き先端部９ｂに対応して嵌合ピン３６を上向きに突設し、この嵌合ピン３６を、各単位レバー９の内向き先端部９ｂに形成した係合穴３７に強制嵌合している。
【００３３】
このように、作動筒３４が第１作動体２９と各単位レバー９の内向き先端部９ｂとに強制嵌合していることにより、作動筒３４はねじ止めしなくても脱落不能に保持され、また、単位レバー９を２個だけ設けた場合でも、ガタ付き不能に保持される。
【００３４】
座受けベース７に設けた受け筒１８の内部には、合成樹脂製等の第２作動体３８が上下動自在で水平動不能に嵌まっている。第２作動体３８の中心部には上窄まりの山形部３８ａが形成されており、作動筒３４は山形部３８ａの裾を囲うような状態で第２作動体３８の上面に当接している。
【００３５】
（ｃ）．座の昇降操作
図１２（Ａ）に示すように、任意の単位レバー９に指を掛けて上方に引き上げたり下方に押し下げたりすると、単位レバー９の群全体及び第１作動体２９は座板１９の支点用リブ３０を支点にして傾斜し、すると、第２作動体３８がてこ作用で押し下げられる。
【００３６】
また、図１２（Ｂ）に示すように、任意の単位レバー９に指を掛けて水平方向に引いたり押したりすると、単位レバー９の群及び第１作動体２９は水平動し、すると、第２作動体３８は、その山形部３８ａがテーパ状であることによるガイド作用によって作動筒３９が下降させられ、これまたプッシュバルブ１６が押し下げられてガスシリンダ３のロックが解除される。
【００３７】
このように、任意の単位レバー９に指を掛けてどのように動かしてもプッシュバルブ１６を押してガスシリンダ３のロック解除できるため便利である。なお、人が単位レバー９を操作する場合、単位レバー９を斜め上向きに引くというように、水平方向の引っ張り力と上下方向の引っ張り力とが複合していることが多いが、本実施形態では、このような場合も第２作動体３８が確実に下降してプッシュバルブ１６を押し下げることができる。
【００３８】
本実施形態では、第１作動体２９の作動筒３４と第２作動体３８の山形部３８ａとが請求項に記載したガイド手段となっている。
【００３９】
（ｄ）．背もたれの取付け仕様
図１３は２個の単位レバー９を取り外して背もたれ１１を取付けた状態での底断面図、図１４は図１３のＸＩＶ−ＸＩＶ  視断面図である。これらの図に示すように、背支持フレーム１０の基部１２には、カバー８の切り開き溝３１に嵌まる３本の内向き枝部１２ａを一体に設けており、この内向き枝部１２ａをねじ３９で補強板２１に締結している。
【００４０】
背支持フレーム１０の内向き枝部１２ａはカバー８における切り開き溝３１の底板を貫通しており、従って、背支持フレーム１０の内向き枝部１２ａとカバー８と補強板２１とが共締めされている。
【００４１】
カバー８の切り開き溝３１は、単位レバー９が上向き動してもその上方に十分な空間が空くような深さに設定されている。そして、背支持フレーム１０の内向き枝部１２ａのうち手前側に位置した２本の内向き枝部１２ａは、単位レバー９を上向き動させても干渉しない厚さに設定している。
【００４２】
このため、切り開き溝３１に単位レバー９の内向き部９ａが嵌まっていても、単位レバー９の操作を阻害することなく、背支持フレーム１０の内向き枝部１２ａを固定することができる。背支持フレーム１０は合成樹脂製でも良いし、金属製でも良い。
【００４３】
（２）．第２実施形態（図１５）
図１５では第２実施形態を示している。この実施形態では、補強板２１は非ドーナツ状に形成しており、補強板２１に座板１０をねじ４０で固定している。
【００４４】
また、カバー８と補強板２１と座板１９とはねじ４１で共締めされており、補強板２１に切り起こし形成した足部２１ａをねじ２２で座受けベース７に固定している。カバー９には、第１作動体２９に上方から当たる支点用リブ３０を形成している。プッシュバルブ１６の操作機構は第１実施形態と同じである。
【００４５】
この実施形態では、座板１９が撓み変形してもその変形が作動体２９、３４に作用することはないため、座板１９の肉厚を厚くしなくても安全性が高い利点がある。
【００４６】
（３）．第３実施形態（図１６）
図１６に示す第３実施形態では、単位レバー９の内向き先端部９ｂは第１作動体２９の上面に重ね配置されており、補強板２１に設けた支点用リブ３０が単位レバー９の内向き先端部９ｂに当たっている。
【００４７】
そして、ガイド手段として、第１作動体２９に下窄まりテーパ部２９ａを形成する一方、第２作動体３８には、第１作動体２９の下窄まりテーパ部２９ａが重なる上広がりのテーパ穴３８ａを形成している。この実施形態では、テーパ部２９ａとテーパ穴３８ａとの傾斜面のガイド作用により、単位レバー９の水平動によってもプッシュバルブ１６が押し下げられる。
【００４８】
ガイド手段としては、第１作動体２９に下窄まりテーパ部２９ａを形成して、第２作動体３８にはストレート穴を形成するか、或いは、第１作動体２９にストレート状筒部を形成して、第２作動体３８にテーパ穴３８ａを形成するかしてもよい。
【００４９】
（４）．第４実施形態（図１７）
図１７に示す第４実施形態では、レバー装置９′は単一構造であり（分離構造でも良い）、複数本の内向き端部９ａは中心部９ｃから放射状に延びている。そして、レバー装置９′における中心部９ｃの上面に上窄まりのテーパ部９ｄを形成し、中心部９ｃの下面にはプッシュバルブ１６に対する押圧部９ｅを形成している。
【００５０】
そして、補強板２１に、レバー装置９′における中心部９ｃのテーパ部９ｄと重なる上窄まりテーパ筒部２１ｂを形成している。この実施形態では、テーパ部９ｄとテーパ筒部２１ｂとがガイド手段を構成している。補強板２１には、テーパ筒部２１ｂに代えてストレート筒部を形成しても良い。
【００５１】
（５）．第５実施形態（図１８〜図１９）
図１８〜図１９では第５実施形態を示している。図１８は要部の縦断面図、図１９は図１８の  ＸＩＸ−ＸＩＸ視図である。
【００５２】
この実施形態では、第１作動体２９は筒部２９ｂを備えており、その内部にリング部２９ｃを一体に形成し、このリング部２９ｃで棒状の第３作動体４２を抱持している。
【００５３】
第３作動体４２の下端には下窄まりのテーパ部４２ａを設けており、このテーパ部４２ａは第２作動体３８のテーパ穴３８ａに嵌まっている。第２作動体３８はガイド筒４３に上下動自在に嵌まっており、ガイド筒４３は保持筒４４にて水平方向及び上下方向のいずれにもずれない状態に不能に保持されている。
【００５４】
保持筒４４は爪４５で座受けベース１７の補助体１７に取付けられている。保持筒４４には、単位レバー９の内向き端部９ａが遊嵌する複数の窓穴４６が空いている。また、保持筒４４は上板４４ａを備えており、上板４４ａに、第３作動体４２を抜け不能でかつ横ずれ不能に保持するヘッド４７を上方からねじ込んで、これをナット４８で固定している。
【００５５】
第３作動体２９の筒部２９ｂは、保持筒４４の上板４４ａと、ガイド筒４３に設けた支持片４３ａとで落下不能に保持されている。支持片４３ａは撓み変形可能であり、このため、第１作動体２９が傾くことが許容される。また、保持筒４４の上板４３ａには、第３作動体２９の筒部２９ｂが横移動可能に嵌まる緩い角度の環状溝４９が形成されている。
【００５６】
この実施形態では、単位レバー９が上下動してその内向き端部９ａが傾きと、第１作動体２９を介して第３作動体４２がその上端を支点にして傾動し、すると、第２作動体３８はテーパ部４２ａとテーパ穴３８ａとのガイド作用によって下降動し、これによってプッシュバルブ１６が押される。
【００５７】
この実施形態では、ヘッド４７の高さを調節することにより、プッシュバルブ１６に対する第２作動体３８の当たり具合を最適な状態に設定できる利点である。
【００５８】
また、単位レバー９を水平方向に引いても第３作動体４２はその上端を支点にして傾動し、これまた、プッシュバルブ１６は下向きに押される。また、人が単位レバー９から指を離すと、第３作動体４２は鉛直姿勢に戻る。このように、ガイド手段としては３つの作動体を使用しても良いのである。
【００５９】
（６）．その他
本発明は上記の実施形態の他にも様々に具体化することができる。例えばレバー装置を分割方式とする場合は、単位レバーの数は４分割方式には限らず、２分割方式や５分割方式など、任意の個数の単位レバーに分割できる。
【００６０】
また、レバー装置の上下動（傾動）及び水平動でプッシュバルブを押し下げるためのガイド手段はテーパ部（傾斜面）のガイド作用を利用することには限らず、例えばリンク機構等の他の機構・原理を採用しても良いことはいうまでもない。
【図面の簡単な説明】
【図１】背もたれを取付けていない使用での第１実施形態の正面図である。
【図２】背もたれを取り付けた仕様の正面図である。
【図３】背もたれを取り付けた仕様の平面図である。
【図４】背もたれを取り付けた仕様の右側面図である。
【図５】図６の  Ｖ−Ｖ視方向から見た縦断面図である。
【図６】（Ａ）は図５の  ＶＩＡ−ＶＩＡ視平断面図、（Ｂ）は第１作動体の平面図である。
【図７】図６（Ａ）の  ＶＩＩ−ＶＩＩ視方向から見た縦断面図である。
【図８】部材の分離正面図である。
【図９】カバーの部分斜視図である。
【図１０】座板の底面図である。
【図１１】（Ａ）は主要部材の分離図、（Ｂ）（Ｃ）はそれぞれ（Ａ）のＢ−Ｂ視、Ｃ−Ｃ視平面図である。
【図１２】作用を説明するための図である。
【図１３】背もたれを取付けた状態での底断面図である。
【図１４】図１３のＸＩＶ−ＸＩＶ  視断面図である。
【図１５】第２実施形態の縦断面図である。
【図１６】第３実施形態を示す縦断面図である。
【図１７】第４実施形態を示す縦断面図である。
【図１８】第５実施形態を示す縦断面図である。
【図１９】図１８の  ＸＩＸ−ＸＩＸ視図である。
【符号の説明】
１  脚
２  座
３  脚支柱としてのガスシリンダ
７  座受けベース
９  単位レバー
９ａ  内向き部
９ｂ  内向き端部
１６  プッシュバルブ
１８  受け筒
２９  第１作動体
３０  支点用リブ
３４  ガイドの一環を成す作動筒
３８  第２作動体
３８ａ  ガイド手段の一環を成す山型部
【図１】
2005013603.tif 000003
【図２】
2005013603.tif 000004
【図３】
2005013603.tif 000005
【図４】
2005013603.tif 000006
【図５】
2005013603.tif 000007
【図６】
2005013603.tif 000008
【図７】
2005013603.tif 000009
【図８】
2005013603.tif 000010
【図９】
2005013603.tif 000011
【図１０】
2005013603.tif 000012
【図１１】
2005013603.tif 000013
【図１２】
2005013603.tif 000014
【図１３】
2005013603.tif 000015
【図１４】
2005013603.tif 000016
【図１５】
2005013603.tif 000017
【図１６】
2005013603.tif 000018
【図１７】
2005013603.tif 000019
【図１８】
2005013603.tif 000020
【図１９】
2005013603.tif 000021